(57)【特許請求の範囲】
【請求項１】
湯沸器のパイプ接続部に２個以上のパイプ接続口を偏倚隣接して備え、該２個以上のパイプ接続口に係合部を有するパイプの先端接続部を挿入し、
上記パイプ接続口に挿入された２個以上のパイプに対し、先端にそれぞれのパイプの抜け止め部を有し基端には位置決めストッパーを備えたスライド式固定金具を直角方向へ直線的にスライドさせ、そのスライド量に応じて上記各々のパイプの係合部に抜け止め部が順次係合して上記パイプを１本ずつ順番に抜け止め保持して接続固定できるようにしたことを特徴とする湯沸器のパイプ接続構造。
【請求項２】
湯沸器の水側本体のフランジ面に給水管接続口と給湯管接続口を偏倚隣接して備え、
上記給水管接続口と給湯管接続口に環状の係合凸条を有する給水管と給湯管の先端接続部をシール材を介在して挿入し、
上記給水管と給湯管に対し、先端に抜け止め部を有し基端には位置決め用のストッパーを備えたスライド式固定金具を直角方向へ直線的にスライドさせ、そのスライド量に応じて上記給水管と給湯管の係合凸条に抜け止め部が順次係合して給水管と給湯管を１本ずつ順番に抜け止め保持して水側本体のフランジ面に給水管と給湯管を接続固定できるようにしたことを特徴とする請求項１記載の湯沸器のパイプ接続構造。
【請求項３】
上記給水管と給湯管の先端接続部を鍔出し管に形成して環状の係合凸条を備えたことを特徴とする請求項２記載の湯沸器のパイプ接続構造。
【請求項４】
上記スライド式固定金具は板状体の先端部が上記給水管接続口と給湯管接続口に対応する位置に給水管の外径に適合する係合凹孔を有する抜け止め部に形成され、基端部は位置決め用ストッパーに屈折形成されていることを特徴とする請求項２記載の湯沸器のパイプ接続構造。
【請求項５】
上記水側本体のフランジ面の両側に上記スライド式固定金具をガイドするガイド部を備えたことを特徴とする請求項２記載の湯沸器のパイプ接続構造。
【請求項６】
上記給水管と給湯管を抜け止め保持したスライド式固定金具を１個所のみでビス止め固定したことを特徴とする請求項２記載の湯沸器のパイプ接続構造。
【発明の詳細な説明】
【０００１】
【発明の属する技術分野】
この発明は、湯沸器のパイプ接続構造に関し、詳しくは、たとえば、湯沸器の水側本体に対する給水管と給湯管の接続構造に関する。
【０００２】
【従来の技術】
従来の湯沸器のパイプ接続構造は、たとえば、図８に示されているように、給水管４′は水側本体Ｗ′の図示右方に接続されて内胴２′の外面を巻回して熱交換器３′に配管され、また、給湯管７′は内胴２′の図示左側を下方に導かれ、クイックファスナ、接続管を介して給湯接手９′に直接接続されている。そして、給湯接手９′には水側本体Ｗ′の下部又は図示左方に接続された混合管を接続している（以上の詳細は図示されていないが従来より一般に採られている公知の配管手段である）。
【０００３】
【発明が解決しようとする課題】
しかしながら、こうした従来のパイプ接続構造では、給水管と混合管を１つの固定板で接続固定しようとすると、２つのパイプを１つの固定板で抜け止め保持する前にそれぞれのパイプを水側本体に挿入した状態で２つのパイプが抜脱しないように手で押えつけていないと固定板による保持ができないので、その作業性が極めて悪く、水側本体に対する給水管と混合管の接続作業には多くの時間を要するために一般には水側本体に対する給水管と混合管の接続固定は各別に行っている。
また、給湯管が給湯接手に至るまでの間にクイックファスナ及び接続管が必要なため、給湯通路が複雑となるばかりでなく、構成部品も多くなり、メンテナンスにも困難性がともなうものであった。
【０００４】
この発明の湯沸器のパイプ接続構造は上記課題を解決し、たとえば、水側本体に対し給水管と給湯管を接続する場合、スライド式固定金具のスライド量に応じて片方ずつ順次抜け止め保持して仮止めできるようにして、上記従来の技術の問題点を解消した湯沸器のパイプ接続構造の提供を目的としている。
【０００５】
【課題を解決するための手段】
上記課題を解決するこの発明の請求項１の湯沸器のパイプ接続構造は、
湯沸器のパイプ接続部に２個以上のパイプ接続口を偏倚隣接して備え、該２個以上のパイプ接続口に係合部を有するパイプの先端接続部を挿入し、
上記パイプ接続口に挿入された２個以上のパイプに対し、先端にそれぞれのパイプの抜け止め部を有し基端には位置決めストッパーを備えたスライド式固定金具を直角方向へ直線的にスライドさせ、そのスライド量に応じて上記各々のパイプの係合部に抜け止め部が順次係合して上記パイプを１本ずつ順番に抜け止め保持して接続固定できるようにしたことを要旨とする。
【０００６】
上記課題を解決するこの発明の請求項２の湯沸器のパイプ接続構造は、
上記請求項１の湯沸器における水側本体のフランジ面に給水管接続口と給湯管接続口を偏倚隣接して備え、
上記給水管接続口と給湯管接続口に環状の係合凸条を有する給水管と給湯管の先端接続部をシール材を介在して挿入し、
上記給水管と給湯管に対し、先端に抜け止め部を有し基端には位置決め用のストッパーを備えたスライド式固定金具を直角方向へ直線的にスライドさせ、そのスライド量に応じて上記給水管と給湯管の係合凸条に抜け止め部が順次係合して給水管と給湯管を１本ずつ順番に抜け止め保持して水側本体のフランジ面に給水管と給湯管を接続固定できるようにしたことを要旨とする。
【０００７】
上記課題を解決するこの発明の請求項３の湯沸器のパイプ接続構造は、
上記請求項２の給水管と給湯管の先端接続部を鍔出し管に形成して環状の係合凸条を備えたことを要旨とする。
【０００８】
上記課題を解決するこの発明の請求項４の湯沸器のパイプ接続構造は、
上記請求項２のスライド式固定金具は板状体の先端部が上記給水管接続口と給湯管接続口に対応する位置に給水管の外径に適合する係合凹孔を有する抜け止め部に形成され、基端部は位置決め用ストッパーに屈折形成されていることを要旨とする。
【０００９】
上記課題を解決するこの発明の請求項５の湯沸器のパイプ接続構造は、
上記請求項２の水側本体のフランジ面の両側に上記スライド式固定金具をガイドするガイド部を備えたことを要旨とする。
【００１０】
上記課題を解決するこの発明の請求項６の湯沸器のパイプ接続構造は、
上記請求項２の給水管と給湯管を抜け止め保持したスライド式固定金具を１個所のみでビス止め固定したことを要旨とする。
【００１１】
上記構成を有するこの発明の請求項１の湯沸器のパイプ接続構造は、湯沸器のパイプ接続部に偏倚隣接して挿入された２個以上のパイプは、スライド式固定金具を上記各々のパイプに対し直角方向へ直線的にスライドさせるだけで、そのスライド量に応じてパイプの係合部に抜け止め部が順次係合されて２個以上のパイプを１本ずつ順番に抜け止め保持してパイプ接続部に固定する。この結果、パイプの接続作業が能率的に、しかも、適切に行い得て作業性は著しく向上する。
【００１２】
上記構成を有するこの発明の請求項２の湯沸器のパイプ接続構造は、湯沸器の水側本体のフランジ面に偏倚隣接して挿入された給水管と給湯管は、スライド式固定金具を上記給水管と給湯管に対し直角方向へ直線的にスライドさせるだけで、そのスライド量に応じて給水管と給湯管の係合凸条に抜け止め部が順次係合されて給水管と給湯管を１本ずつ順番に抜け止め保持して水側本体のフランジ面に接続固定する。この結果、湯沸器の水側本体に対する給水管と給湯管の接続が簡単な接続作業で適切、かつ、能率的に行える。
【００１３】
上記構成を有するこの発明の請求項３の湯沸器のパイプ接続構造は、給水管と給湯管の先端接続部を鍔出し管に形成して係合凸条を備えたから、係合凸条の作成が容易となる。この結果、均一な係合凸条がコスト安に形成できる。
【００１４】
上記構成を有するこの発明の請求項４の湯沸器のパイプ接続構造は、スライド式固定金具は板状体の先端部に係合凹孔を有する抜け止め部を形成し、基端部には位置決め用のストッパーを屈折形成しているから、給水管と給湯管に対し直角方向へ直線的に予め決められた一定のストロークスライドさせるたけで偏倚隣接している給水管と給湯管の抜け止め固定が１本ずつ順番に行える。この結果、接続作業は簡易で、しかも、確実に行いうる。
【００１５】
上記構成を有するこの発明の請求項５の湯沸器のパイプ接続構造は、水側本体にスライド式固定金具のガイド部を設けたので、スライド式固定金具のスライド動作が狂いなく確実に行いうる。この結果、スライド式固定金具による給水管と給湯管の抜け止め固定が簡易に、しかも、適切に行える。
【００１６】
上記構成を有するこの発明の請求項６の湯沸器のパイプ接続構造は、スライド式固定金具が給水管と給湯管を接続固定した位置において１個所のみでビス止めするだけでスライド方向へ動くことのないように固定できる。この結果、スライド式固定金具の固定作業が容易に行え、給水管と給湯管の抜け止め固定が不慮に外れるようなこともない。
【００１７】
【発明の実施の形態】
以上説明したこの発明の構成、作用を一層明らかにするために、以下にこの発明の湯沸器のパイプ接続構造の好適な実施の形態の一例について図面を参照して詳細に説明する。
【００１８】
図面はこの発明のパイプ接続構造を元止式ガス瞬間湯沸器の給水管と給湯管の接続手段に適用した場合を例示したものであって、Ｗは湯沸器の水側本体で、給水接手１からの水を、たとえば、ダイヤフラム式給水弁ＷＶを経て水ガバナで予め設定された一定の水量に制御して内胴２を巻回して熱交換器３に至る給水管４と混合管とに水量調節弁を介して導くためのもので、この水側本体Ｗの一側上部に設けられたフランジ面５に上記給水管４を接続する給水管接続口６と後述する給湯管７を接続する給湯管接続口８とを前後に一定の寸法ａだけ偏倚隣接して備え、同一フランジ面５で給水管４と給湯管７とが接続固定できるようになっており、たとえば、樹脂で一体成形するものである（図２参照）。
【００１９】
上記給湯管接続口８は水側本体Ｗに備えた給湯路から混合管（ともに図示せず）を経て給湯接手９に連通されており、上記給湯管接続口８には熱交換器３から導出された給湯管７が接続される。
【００２０】
上記水側本体Ｗのフランジ面５に備えた給水管接続口６には、給水管４の先端接続部１０を鍔出し管に形成して給水管４の先端接続部１０に環状の係合凸条１１を備え、給水管４の先端接続部１０を給水管接続部６と係合凸条１１との間にシール材（Ｏリング）１２を介在して挿入し、また、給湯管接続口８には、給湯管７の先端接続部１３を鍔出し管に形成して給湯管７の先端接続部１３に環状の係合凸条１４を備え、給湯管７の先端接続部１３を給湯管接続部１３と係合凸条１４との間にシール材（Ｏリング）１５を介在して挿入し、給水管４と給湯管７をフランジ面５に偏倚隣接して挿入セットし仮接続できるようになっている。
【００２１】
Ａはスライド式固定金具で、板状体の先端部に上記給水管接続部６と給湯管接続口８に対応する位置にそれぞれの接続口６、８に挿入セットして仮接続された給水管４と給湯管７の外径に適合する係合凹孔１６、１７を有する抜け止め部１８、１９が段違い状に形成され、基端部には位置決め用のストッパー２０が下方へ直角に折曲げて形成され、その上部中央に押動片２１が切り抜き起立して形成されている。
【００２２】
２２、２３は上記スライド式固定金具Ａをガイドするためのガイド部で、水側本体Ｗのフランジ面５の両側に一体に設けられ、スライド式固定金具Ａの横幅と略同一で、しかも、その板厚と略同一の凹溝２４、２５を有しており、この凹溝２４、２５にスライド式固定金具Ａの両側縁を挿通支持せしめることによりスライド式固定金具Ａのスライド動作がこのガイド部２２、２３に沿って確実に行えるようになっている。
【００２３】
そこで、スライド式固定金具Ａがガイド部２２、２３にガイドされて上記給水管４と給湯管７に対し直角方向へ直線的に一定のストロークだけスライドすることで、そのスライド量に応じて給水管４と給湯管７の係合凸条１１、１４に抜け止め部１８、１９が順次係合して給水管４と給湯管７を１本ずつ順番に抜け止め保持して水側本体Ｗのフランジ面５に給水管４と給湯管７が接続固定できるようになっている。
【００２４】
詳しくは、先ず、スライド式固定金具Ａを一定のストロークｂだけスライドさせると、手前に位置する給湯管７を一方の先端抜け止め部１９が給湯管７の先端接続部１３の係合凸条１４に係合されて抜け止め保持し仮止めする（図３（イ）の状態参照）。このとき、給水管４は未だ抜け止め保持されていない。
次いで、一定のストロークｃだけスライド式固定金具Ａをさらにスライドさせると、後方に偏倚して位置する給水管４を他方の先端抜け止め部１８が給水管４の先端接続部１０の係合凸条１１に係合されて抜け止め保持するとともに、双方の係合凹孔１６、１７が給水管４と給湯管７とに同時に嵌合され、給水管４と給湯管７はスライド式固定金具Ａで抜脱することのないよう強固、かつ、気密に接続固定される（図３（ロ）の状態参照）。
【００２５】
上記一連の接続固定動作は、スライド式固定金具Ａの基端部の中央上部に起立している押動片２１で押動すると、スライド式固定金具Ａはガイド部２２、２３にガイドされて直線的に押動されてスライドし、基端部の位置決めストッパー２０が水側本体Ｗのフランジ面５の側面に当るまでスライドしたところで、上述したように給水管４と給湯管７をスライド式固定金具Ａで１本ずつ順番に抜け止め保持して水側本体Ｗのフランジ面５に給水管４と給湯管７を確実に接続固定するものである。
【００２６】
２６は上記一連の接続固定動作で給水管４と給湯管７を抜け止め保持したスライド式固定金具Ａをその位置に固定するための止めビスで、スライド式固定金具Ａの１個所のみでビス止め固定するだけでスライド式固定金具Ａは所定位置に固定されてみだりに移動することがないものである。なお、２６ａはスライド式固定金具Ａに穿ったビス挿通孔、２６ｂはフランジ面５に穿った雌ネジ孔である。
【００２７】
なお、図中２７は水抜き栓、２８はガス管接手、２９はフレキシブル出湯管で、先端にキッチンシャワーを備えている。３０は操作ボタン、３１は電装基板、３２は乾電池ケース、３３はガスバーナ、ＦＲはフレームロッド、ＴＣは熱電対、３４は点火ロッド、３５は湯沸器のバックカバーである。
【００２８】
以上この発明の実施の形態の一例について説明したが、この発明はこうした実施の形態に何等限定されるものではなく、この発明の要旨を逸脱しない範囲において種々なる形態で実施しうることは勿論である。
たとえば、上記実施の形態では給水管と給湯管の２本のパイプを接続固定するものであったが、２個以上のパイプを偏倚隣接して接続固定することも可能である。また、各々のパイプの先端接続部を鍔出し管に形成して環状の係合凸条を備えたが、別体の環状凸条をパイプの先端接続部に固定して備えてもよい。さらに、スライド式固定金具の押動片を廃して位置決めストッパーが押動片を兼備してもよい。
【００２９】
【発明の効果】
この発明の湯沸器のパイプ接続構造は以上説明したような形態で実施され、以下に記載されるような効果を奏する。
【００３０】
この発明の請求項１の湯沸器のパイプ接続構造によれば、パイプ接続部に配列された２個以上のパイプは、スライド式固定金具を上記パイプに対し直角方向へ直線的にスライドさせるだけで、そのスライド量に応じてパイプの係合部に抜け止め部が順次係合されて２個以上のパイプを１本ずつ順番に抜け止め保持して固定するから、２個以上のパイプの接続作業が簡易に、しかも、適切に行いうる。したがって、作業性はよく、作業能率は著しく向上する。
【００３１】
この発明の請求項２の湯沸器のパイプ接続構造によれば、湯沸器の水側本体のフランジ面に給水管と給湯管がスライド式固定金具で１本ずつ順番に抜け止め保持して接続固定できるから、従来のようにクイックファスナ及び接続管は不要となって給湯通路がすっきりとなるために部品点数の減少と相まってメンテナンスが容易になるばかりでなく、簡単な接続作業で給水管と給湯管の適切、かつ、確実な接続固定が行える。
【００３２】
この発明の請求項３の湯沸器のパイプ接続構造によれば、給水管と給湯管の先端接続部を鍔出し管に形成して係合凸条を備えたから、均一な係合凸条がコスト安に形成できる。
【００３３】
この発明の請求項４の湯沸器のパイプ接続構造によれば、先端部に係合凹孔を有する抜け止め部を形成し、基端部には位置決め用のストッパーを備えた板状体のスライド式固定金具としたから、給水管と給湯管に対し直角方向へ直線的に一定のストロークスライドさせるだけで給水管と給湯管が１本ずつ順番に確実に抜け止め固定され、接続作業の簡易化と相まって作業性は向上する。
【００３４】
この発明の請求項５の湯沸器のパイプ接続構造によれば、スライド式固定金具はガイド部にガイドされて確実にスライドするから、スライド式固定金具のスライド動作が正確に行い得て給水管と給湯管の抜け止め固定が常時適切に行え作業性はさらに向上する。
【００３５】
この発明の請求項６の湯沸器のパイプ接続構造によれば、給水管と給湯管を抜け止め固定したスライド式固定金具を１個所でビス止めして固定するから、給水管と給湯管の抜け止め固定が不慮に外れるようなことはなく、また、その固定作業も簡易に行いうる。
【図面の簡単な説明】
【図１】この発明のパイプ接続構造を適用した湯沸器の一例を示したフロントカバーを取り外した状態の全体正面図である。
【図２】水側本体だけの正面図である。
【図３】そのフランジ面だけの側面図で、（イ）は一方の給湯管だけを仮止めした状態を示し、（ロ）は給湯管と給水管の双方を完全に抜け止め固定した状態を示す。
【図４】フランジ面とスライド式固定金具を分離して示した側面図である。
【図５】フランジ面の接続口と接続すべきパイプを分離して示した断面図である。
【図６】図３（ロ）のＸ−Ｘ線の断面図である。
【図７】スライド式固定金具だけの斜視図である。
【図８】従来例を示したフロントカバーを取り外した状態の全体正面図である。
【符号の説明】
Ｗ…水側本体
４…給水管
５…フランジ面
６…給水管接続口
７…給湯管
８…給湯管接続口
１０…給水管の先端接続部
１１…環状の係合凸条
１３…給湯管の先端接続部
１４…環状の係合凸条
Ａ…スライド式固定金具
１６…係合凹孔
１７…係合凹孔
１８…抜け止め部
１９…抜け止め部
２０…位置決め用のストッパー
２２…ガイド部
２３…ガイド部
２６…止めビス
【図１】
0003964984.tif 000002
【図２】
0003964984.tif 000003
【図３】
0003964984.tif 000004
【図４】
0003964984.tif 000005
【図５】
0003964984.tif 000006
【図６】
0003964984.tif 000007
【図７】
0003964984.tif 000008
【図８】
0003964984.tif 000009